(57)【要約】【課題】温風の発生を伴わない低温による除湿が可能で、圧倒的な除能力を発揮できるシンプルな除湿装置を提供することを目的とする。【解決手段】塩化リチウム溶液６と、該溶液を溜めるための除湿タンク１と、該除湿タンク内に湿気を含んだ空気を吸入するための吸入ファン２と、前記除湿タンク内で除湿された空気を該除湿タンク外へ排出するための排気口３と、前記塩化リチウム溶液を前記除湿タンク外へ排出するためのポンプ４と、前記ポンプにより排出された塩化リチウム溶液を前記除湿タンク内に散布しつつ戻すダクト７からなることを特徴とする除湿ユニット。【選択図】図１
2009045555.tif 000002
【特許請求の範囲】
【請求項１】
塩化リチウム溶液と、
該溶液を溜めるための除湿タンクと、
該除湿タンク内に湿気を含んだ空気を吸入するための吸入ファンと、
前記除湿タンク内で除湿された空気を該除湿タンク外へ排出するための排気口と、
前記塩化リチウム溶液を前記除湿タンク外へ排出するためのポンプと、
前記ポンプにより排出された塩化リチウム溶液を前記除湿タンク内に散布しつつ戻すダクトからなることを特徴とする除湿ユニット。
【請求項２】
請求項１記載の除湿ユニットと、
該除湿ユニットから前記ポンプにより排出された前記塩化リチウム溶液を冷却するためのチラーユニットと、
からなることを特徴とする除湿装置。
【請求項３】
前記チラーユニットが、蒸発器と、圧縮機と、凝縮器と、膨張弁とからなることを特徴とする請求項２記載の除湿装置。
【請求項４】
前記除湿ユニットが、前記チラーユニットと分離可能であることを特徴とする請求項２又は３記載の除湿装置。
【発明の詳細な説明】
【技術分野】
【０００１】
本発明は、塩化リチウム溶液を用いた除湿ユニット及びそれを用いた除湿装置に関する。
【背景技術】
【０００２】
従来から、除湿装置は種々の分野で使用されており、その代表的な例を図３に示し、以下にその構造と機能を説明する。
【０００３】
まず、湿気を含んだ処理空気３０はファン２３によりエアフィルター２５を介して除湿装置内に導入され、その後シリカゲル等の除湿剤で構成される除湿ロータを通過し、この際に処理空気内の水分が除去され除湿空気２９となる。この除湿空気２９は装置内のクーラーにより冷やされ装置外へ排出される。
【０００４】
一方、除湿ロータ２０の除湿剤を再生するための再生空気２８がエアフィルター２６を介して装置内へ導入された後、再生ヒータ２１によって加熱される。そして、この加熱された再生空気は除湿ロータ内の水分を含んだ除湿剤に接触した後、再生ファン２４により外部に排出される。すなわち、除湿ロータ内の除湿剤は加熱された再生空気の熱により再生される。
【０００５】
更に、この除湿装置においてはバージエア３１が別途装置内に導入され、上記再生空気２８と共に、再生ヒータ２１で加熱され除湿剤の再生に利用されている。
【０００６】
また、例えば特許文献１には密閉庫内を自動的に除湿処理するための除湿装置であって、製作費およびランニングコストを安価なものとすることができる除湿装置が開示されている。
【特許文献１】特開２００２−４５６３９号公報
【発明の開示】
【発明が解決しようとする課題】
【０００７】
しかし、上記の除湿装置では、除湿ロータを通過して外部に排出される再生空気は、当然に温度が高い空気となる。このように発生した温風により室内の気温が上昇した場合には、別途温度調節用のエアコンを設置する必要があり、総合的にはコスト上昇を招くという問題があった。また、除湿剤、例えばシリカゲルは固形であるため接触面に限界があり機器サイズの増大、コストの増大などの問題があった。更に、低温において除湿性能が低下するという問題があった。
【０００８】
上記課題を解決するため、本発明は、温風の発生を伴わない低温による除湿が可能で、圧倒的な除湿能力を発揮できるシンプルな除湿装置を提供することを目的とする。
【課題を解決するための手段】
【０００９】
本発明は、上述の目的を達成するため、以下（１）〜（４）の構成を備えるものである。
【００１０】
（１）塩化リチウム溶液と、該溶液を溜めるための除湿タンクと、該除湿タンク内に湿気を含んだ空気を吸入するための吸入ファンと、前記除湿タンク内で除湿された空気を該除湿タンク外へ排出するための排気口と、前記塩化リチウム溶液を前記除湿タンク外へ排出するためのポンプと、前記ポンプにより排出された塩化リチウム溶液を前記除湿タンク内に散布しつつ戻すダクトからなることを特徴とする除湿ユニット。
【００１１】
（２）請求項１記載の除湿ユニットと、該除湿ユニットから前記ポンプにより排出された前記塩化リチウム溶液を冷却するためのチラーユニットと、からなることを特徴とする除湿装置。
【００１２】
（３）前記チラーユニットが、蒸発器と、圧縮機と、凝縮器と、膨張弁とからなることを特徴とする前記（２）記載の除湿装置。
【００１３】
（４）前記除湿ユニットが、前記チラーユニットと分離可能であることを特徴とする前記（２）又は（３）記載の除湿装置。
【発明の効果】
【００１４】
本発明の除湿ユニットは、塩化リチウム溶液の特徴である除湿能力を利用し、さらに専用のチラーユニットを合体させることで低温時でも除湿が可能で有り、かつ除湿能力を強力にした除湿が可能となる。
【発明を実施するための最良の形態】
【００１５】
以下、本発明を実施するための最良の形態を、実施例により詳しく説明する。
【実施例】
【００１６】
本発明の除湿ユニットと除湿装置を図１を参照しながら説明する。
【００１７】
除湿装置は基本的には除湿ユニット５とチラーユニット１０から構成されている。そして、除湿ユニット５は塩化リチウム溶液６が除湿タンク１の中に溜められており、湿気を含んだ空気をタンク内に吸引するためのファン２、タンク内に溜められている塩化リチウム溶液６をチラーユニットに送るためのポンプ４及びチラーユニットで冷却された塩化リチウム溶液を除湿タンク内に散布しつつ導入するためのダクト７等から構成されている。
【００１８】
一方、チラーユニット１０は、一般的な蒸気圧縮冷凍サイクルを有し、蒸発器１１、圧縮機１３、凝縮器１４及び膨張弁１２から構成されている。
【００１９】
湿気を多く含んだ空気は、除湿タンク内に散布された塩化リチウム溶液の液滴と接触することでその液滴表面上に結露を生じ除湿される。露結の結果、乾燥した空気は除湿ユニットの外部に排出される。一方、露結した水滴は除湿タンクの塩化リチウム溶液と混合し、この溶液の温度は上昇する。この温度の上昇した塩化リチウム溶液はチラーユニット１０に送られ、冷却された後再度除湿ユニット５に戻される。
【００２０】
本発明の除湿装置は、上記チラーユニット１０が結合されていない状態、すなわち除湿タンク内の空気温度が室温程度でも除湿能力を有するものであるが、チラーユニットが結合されることで更に強力な除湿能力を得ることができるという特徴を有する。
【００２１】
このように、本願発明の除湿装置は、従来の除湿装置のように温風を外部に排出することなく効率的に、かつ強力に除湿を行うことができる。
【００２２】
本願の除湿装置の除湿能力を評価するため、以下の実験を行った。その際の実験データを図２に示す。
【００２３】
まず、本発明の除湿装置が設置された部屋を加湿器にて加湿を行った。図２に示したように、約３０分で部屋の相対湿度が９０％以上となった（Ｂ点）。その後、窓を開放した後、再び締め切り除湿運転を開始した（Ｃ点）。図２からも分かるように、非常に短時間に一桁台の絶対湿度領域まで湿度を下げることが可能であることが実証することができた。
【００２４】
上記したように、本実施例の除湿装置を用いれば温風の発生がない、常温での除湿が可能であるとともに、チラーユニットを併用した強力な除湿が可能となる。
【図面の簡単な説明】
【００２５】
【図１】本発明の除湿ユニットと除湿装置を示す構成図である。
【図２】本発明の除湿装置を使用した実験結果を示す図である。
【図３】従来例に係る除湿装置を示す図である。
【符号の説明】
【００２６】
１    除湿タンク
２    吸入ファン
３    排出口
４    水中ポンプ
５    除湿ユニット
６    塩化リチウム溶液
７    ダクト
１０  チラーユニット
１１  蒸発器
１２  膨張弁
１３  圧縮機
１４  凝縮器
２０  除湿ロータ
２１  再生ヒータ
２２  クーラー
２３  ファン
２４  再生ファン
２５、２６、２７  エアフィルター
２８  再生空気
２９  除湿空気
３０  処理空気
３１  バージエア
【図１】
2009045555.tif 000003
【図２】
2009045555.tif 000004
【図３】
2009045555.tif 000005